(57)【要約】  【課題】アルミ箔と架橋ポリエチレン被覆ヒーター線との接合において、充分な接着強度を得ることのできる冷蔵庫等の温度補償ヒーターを提供する。  【解決手段】アルミ箔１の片面の溝４に架橋ポリエチレン被覆ヒーター線５を挿入することにより、アルミ箔１と架橋ポリエチレン被覆ヒーター線５を強固に接合することができるので、例えば、２枚の粘着剤付きアルミ箔１で架橋ポリエチレン被覆ヒーター線５をはさみこむことにより、架橋ポリエチレン被覆ヒーター線５が固定されることになる。ヒーター線５とアルミ箔１の接触面積が増えることからヒーター線５の熱を効率よくアルミ箔１に伝えるという特徴を持たせることができる。【選択図】図１
2008101790.tif 000002
【特許請求の範囲】
【請求項１】
アルミ箔の溝に架橋ポリエチレン被覆ヒーター線をはさみこんだことを特徴とする冷蔵庫等の温度補償ヒーター。
【請求項２】
２枚の粘着剤付きアルミ箔で架橋ポリエチレン被覆ヒーター線をはさみこんだことを特徴とする冷蔵庫等の温度補償ヒーター。
【請求項３】
アルミ箔と架橋ポリエチレン被覆ヒーター線を熱収縮フィルムでつつみこんだことを特徴とする冷蔵庫等の温度補償ヒーター。
【請求項４】
アルミ箔と架橋ポリエチレン被覆ヒーター線をホットメルト接着剤で接合したことを特徴とする冷蔵庫等の温度補償ヒーター。
【請求項５】
アルミ箔と架橋ポリエチレン被覆ヒーター線を粘着剤で接合したことを特徴とする冷蔵庫等の温度補償ヒーター。
【発明の詳細な説明】
【技術分野】
【０００１】
本発明は、冷蔵庫の温度補償ヒーターと熱拡散用アルミ箔との接着に関するものである。
【背景技術】
【０００２】
冷蔵庫は一般に食品を冷却する装置であるが、冷気の流れかたによっては一部が過冷却になり製品仕様として問題が発生する場合がある。そのような場所には温度補償ヒーターを設置し適切な温度に管理している。
【０００３】
従来、冷蔵庫の温度補償ヒーターは、塩化ビニル被覆のヒーター線を感熱型接着剤を塗布したアルミ箔の上に設置し、両者を加熱、加圧することによりアルミ箔表面にヒーター線を接着している（例えば、特許文献１参照）。
【０００４】
この場合のアルミ箔の役目はヒーター線の熱の均一な拡散である。
【０００５】
図２は、従来の温度補償ヒーターの部分断面模式図である。
【０００６】
図において、アルミ箔１の上に感熱型接着剤層２があり、その上に塩化ビニル被覆ヒーター線３がある。これらを加熱、加圧することにより感熱型接着剤層２と一部表面が溶融した塩化ビニル被覆ヒーター線３が接着し、ヒーター通電時の熱を効率的にアルミ箔１に伝えることができる。
【０００７】
上記構成において、熱伝導のよい温度補償ヒーターを供給することができる。
【特許文献１】特開２００１−３１０９８０号公報
【発明の開示】
【発明が解決しようとする課題】
【０００８】
現在まで広く用いられてきた電線被覆材の塩化ビニルは、製品廃棄の際の燃焼時に有害な塩素系ガスが発生し、またある特定な条件下では更に有害なダイオキシンが発生する可能性がある。そのため塩化ビニルの代替検討が広く行なわれており、代替材としてコスト的、性能的に架橋ポリエチレンが最有力と考えられている。
【０００９】
しかしながら、上記従来の温度補償ヒーターでは、ヒーター線の被覆の材質が塩化ビニルから架橋ポリエチレンに変更した際、充分な接着強度が得られないという課題を有していた。
【００１０】
架橋ポリエチレンは電子線架橋により強度を塩化ビニルなみに強化しているが、耐熱温度が高く接着剤層との接着の際も表面が溶融しないため充分な接着強度を得られないものである。
【００１１】
本発明は、上記従来の課題を解決するもので、アルミ箔と架橋ポリエチレン被覆ヒーター線とが強固に接合した温度補償ヒーターを提供することを目的とする。
【課題を解決するための手段】
【００１２】
上記従来の課題を解決するために、本発明の温度補償ヒーターは、アルミ箔に溝を設け、架橋ポリエチレン被覆ヒーター線をはさみこんだ構成としたものである。
【００１３】
これによって、アルミ箔と架橋ポリエチレン被覆ヒーター線を強固に接合することができる。
【発明の効果】
【００１４】
本発明の温度補償ヒーターは、アルミ箔の溝に架橋ポリエチレンヒーター線をはさみこむことにより、アルミ箔と架橋ポリエチレン被覆ヒーター線を強固に接合することができる。
【発明を実施するための最良の形態】
【００１５】
請求項１に記載の発明は、アルミ箔の溝に架橋ポリエチレン被覆ヒーター線をはさみこむことにより、架橋ポリエチレン被覆ヒーター線が固定されることになり、アルミ箔と架橋ポリエチレン被覆ヒーター線を強固に接合することができる。
【００１６】
請求項２に記載の発明は、２枚の粘着剤付きアルミ箔で架橋ポリエチレン被覆ヒーター線をはさみこむことにより、架橋ポリエチレン被覆ヒーター線が固定されることになり、アルミ箔と架橋ポリエチレン被覆ヒーター線を強固に接合することができる。ヒーター線とアルミ箔の接触面積が増えることからヒーター線の熱を効率よくアルミ箔に伝えるという効果もある。
【００１７】
請求項３に記載の発明は、アルミ箔と架橋ポリエチレン被覆ヒーター線を熱収縮フィルムでつつみこむことにより、全体を加熱することにより熱収縮フィルムが収縮し、架橋ポリエチレン被覆ヒーター線が固定されることになり、アルミ箔と架橋ポリエチレン被覆ヒーター線を強固に接合することができる。熱収縮フィルムは加熱により収縮するので温度補償ヒーターの生産性が高いという効果もある。
【００１８】
請求項４に記載の発明は、アルミ箔と架橋ポリエチレン被覆ヒーター線をホットメルト接着剤で接合することにより、架橋ポリエチレン被覆ヒーター線が固定されることになり、アルミ箔と架橋ポリエチレン被覆ヒーター線を強固に接合することができる。ホットメルト接着剤は温度の低下により硬化するので装置の自動化ができるという効果もある。
【００１９】
請求項５に記載の発明は、アルミ箔と架橋ポリエチレン被覆ヒーター線を粘着剤で接合することにより、架橋ポリエチレン被覆ヒーター線が固定されることになり、アルミ箔と架橋ポリエチレン被覆ヒーター線を強固に接合することができる。粘着剤は常に粘着性をもっているのでヒーター線の貼りなおしが可能という効果もある。
【００２０】
以下、本発明の実施の形態について、図面を参照しながら説明する。なお、この実施の形態によってこの発明が限定されるものではない。
【００２１】
（実施の形態１）
図１は本発明の実施の形態１における温度補償ヒーターの部分断面模式図である。
【００２２】
図１において、アルミ箔１の片面に溝４が配設されており、架橋ポリエチレン被覆ヒーター線５が溝４に挿入されており、架橋ポリエチレン被覆ヒーター線が固定されることになる。
【００２３】
この構造によりアルミ箔１と架橋ポリエチレン被覆ヒーター線５を強固に接合することができる。
【００２４】
また、２枚の粘着剤付きアルミ箔で架橋ポリエチレン被覆ヒーター線５をはさみこむことにより、架橋ポリエチレン被覆ヒーター線５が固定されることになる。ヒーター線とアルミ箔の接触面積が増えることからヒーター線の熱を効率よくアルミ箔に伝えるという特徴ももつ。
【００２５】
また、アルミ箔１と架橋ポリエチレン被覆ヒーター線５を熱収縮フィルムでつつみこむことにより、全体を加熱することで熱収縮フィルムは収縮し、架橋ポリエチレン被覆ヒーター線５が固定されることになる。熱収縮フィルムは加熱により収縮するので温度補償ヒーターの生産性が高く、大量生産が容易という特徴ももつ。
【００２６】
また、アルミ箔１と架橋ポリエチレン被覆ヒーター線５をホットメルト接着剤で接合することにより、架橋ポリエチレン被覆ヒーター線５が固定されることになる。ホットメルト接着剤は温度の低下により硬化するので装置の自動化ができるという特徴ももつ。
【００２７】
また、アルミ箔１と架橋ポリエチレン被覆ヒーター線５を粘着剤で接合することにより、架橋ポリエチレン被覆ヒーター線５が固定されることになる。粘着剤は常に粘着性をもっているのでヒーター線の貼りなおしが可能という特徴ももつ。
【産業上の利用可能性】
【００２８】
以上のように、本発明にかかる温度補償ヒーターは、アルミ箔と架橋ポリエチレン被覆ヒーターを強固に接合することができるので、その他の架橋ポリエチレン加工品の用途にも適用できる。
【図面の簡単な説明】
【００２９】
【図１】本発明の実施の形態１における温度補償ヒーターの部分断面模式図
【図２】従来の温度補償ヒーターの部分断面模式図
【符号の説明】
【００３０】
１  アルミ箔
４  溝
５  架橋ポリエチレン被覆ヒーター線
【図１】
2008101790.tif 000003
【図２】
2008101790.tif 000004